(57)【要約】【課題】利用者が短時間に目的に応じたトレーニングを効果的かつ効率的に実行することができること。【解決手段】トレーニング室内にサーキット状に配置された複数台のトレーニング器具に対する利用者用トレーニングカルテであって、会員番号、氏名、年齢、生年月日、身長、体重、心拍数、又は血圧等の利用者情報を記載した個人情報欄と、トレーニング器具を利用する場合の注意事項を記載した注意事項欄と、トレーニング器具の負荷レベル、トレーニング回数、又はトレーニング時間等の利用者別トレーニング情報を記載したトレーニング器具使用方法欄とを有し、トレーニング器具使用方法欄には、トレーニング室内に配置されたそれぞれのトレーニング器具と同じ順序でそれぞれの器具表示がサーキット状に配置されて記載され、それぞれの器具表示に対応させて、利用者別トレーニング情報が記載されていることを特徴とする利用者用トレーニングカルテ。【選択図】        図１
2004261586.tif 000002
【特許請求の範囲】
【請求項１】
トレーニング室内にサーキット状に配置された複数台のトレーニング器具に対する利用者用トレーニングカルテであって、
会員番号、氏名、年齢、生年月日、身長、体重、心拍数、又は血圧等の利用者情報を記載した個人情報欄と、
前記トレーニング器具を利用する場合の注意事項を記載した注意事項欄と、
前記トレーニング器具の負荷レベル、トレーニング回数、又はトレーニング時間等の利用者別トレーニング情報を記載したトレーニング器具使用方法欄とを有し、
前記トレーニング器具使用方法欄には、
トレーニング室内に配置されたそれぞれの前記トレーニング器具と同じ順序でそれぞれの器具表示がサーキット状に配置されて記載され、
それぞれの前記器具表示に対応させて、前記利用者別トレーニング情報が記載されていることを特徴とする利用者用トレーニングカルテ。
【請求項２】
前記トレーニング器具に表示された識別記号を、前記トレーニング器具使用方法欄に記載した前記器具表示として、又は前記トレーニング器具使用方法欄に記載した前記器具表示とともに表示していることを特徴とする請求項１に記載の利用者用トレーニングカルテ。
【請求項３】
利用者のトレーニングレベルに応じた色表示を、前記トレーニング器具使用方法欄に記載した前記器具表示に対応させて表示していることを特徴とする請求項１に記載の利用者用トレーニングカルテ。
【請求項４】
前記色表示を、トレーニング器具に表示されたトレーニングレベルに応じた色表示と対応させていることを特徴とする請求項３に記載の利用者用トレーニングカルテ。
【請求項５】
前記色表示を、それぞれの利用者のトレーニングレベルに応じて交付または貸与される、タオル、リストバンド、トレーナー、又はアクセサリー等の識別部材と対応させていることを特徴とする請求項３に記載の利用者用トレーニングカルテ。
【請求項６】
トレーニング室内に配置された複数台のトレーニング器具を利用したトレーニング時に、利用者が用いる利用者用トレーニングセットであって、
会員番号、氏名、年齢、生年月日、身長、体重、心拍数、又は血圧等の利用者情報を記載した個人情報欄と、前記トレーニング器具の負荷レベル、トレーニング回数、又はトレーニング時間等の利用者別トレーニング情報を記載したトレーニング器具使用方法欄とを有し、利用者のトレーニングレベルに応じた色表示を、前記トレーニング器具使用方法欄に記載した器具表示に対応させて表示している利用者用トレーニングカルテと、
利用者のトレーニングレベルに応じた色表示を施し、それぞれの利用者のトレーニングレベルに応じて交付または貸与される、タオル、リストバンド、トレーナー、又はアクセサリー等の識別部材とからなり、
前記利用者用トレーニングカルテに表示する色表示と、前記識別部材に施された色表示とを対応させていることを特徴とする利用者用トレーニングセット。
【請求項７】
トレーニング室内にサーキット状に配置された複数台のトレーニング器具に対するトレーニング早見表であって、
前記トレーニング器具を利用する場合の注意事項を記載した注意事項欄と、
前記トレーニング器具の配置を記載したトレーニング器具配置欄と、
前記トレーニング器具の名称、使用方法、及び効果や留意事項を一覧表示したトレーニング器具説明欄とを有し、
前記トレーニング器具配置欄には、
トレーニング室内に配置されたそれぞれの前記トレーニング器具と同じ順序でそれぞれの器具表示がサーキット状に配置されて記載されていることを特徴とするトレーニング早見表。
【請求項８】
前記トレーニング器具に表示された識別記号を、前記トレーニング器具配置欄に記載した前記器具表示として、又は前記トレーニング器具使用方法欄に記載した前記器具表示とともに表示していることを特徴とする請求項７に記載のトレーニング早見表。
【請求項９】
前記トレーニング器具に表示された識別記号を、前記トレーニング器具説明欄に記載した前記器具名称として、又は前記トレーニング器具説明欄に記載した前記器具名称とともに表示していることを特徴とする請求項７又は請求項８に記載のトレーニング早見表。
【請求項１０】
複数台のトレーニング器具を配置するトレーニング室であって、
対向する２つの壁面に沿って、それぞれ複数の前記トレーニング器具を配設し、前記壁面に沿って配設した前記トレーニング器具のうち、両端に配置された前記トレーニング器具よりも外方であって、対向する２つの前記壁面の間の空間に他のトレーニング器具を配置することで、前記トレーニング器具をサーキット状に配置することを特徴とするトレーニング室。
【請求項１１】
複数台のトレーニング器具と、前記トレーニング器具の間に配置されるステップ台やマットなどの複数台の有酸素運動器具とを配置するトレーニング室であって、
それぞれの前記トレーニング器具を環状に配置して第１のリング状のエリアを形成し、それぞれの前記有酸素運動器具を環状に配置して第２のリング状のエリアを形成し、前記第１のリング状のエリアと前記第２のリング状のエリアとを同心円上であって、前記第１のリング状のエリア内に、前記第２のリング状のエリアの一部が重複するように形成したことを特徴とするトレーニング室。
【請求項１２】
前記第２のリング状のエリアを前記第１のリング状のエリアよりも内周領域に形成したことを特徴とする請求項１１に記載のトレーニング室。
【請求項１３】
複数台のトレーニング器具と、前記トレーニング器具の間に配置されるステップ台やマットなどの有酸素運動器具とを配置するトレーニング室であって、
それぞれの前記トレーニング器具を環状に配置した第１のリング状のエリアと、前記有酸素運動器具の半数を環状に配置した第２のリング状のエリアと、前記有酸素運動器具の残りの半数を環状に配置した第３のリング状のエリアとを形成し、前記第２のリング状のエリアに配置される一方の前記有酸素運動器具と、前記第３のリング状のエリアに配置される他方の前記有酸素運動器具とは、互いが交互に配置され、前記第１のリング状のエリアと前記第２のリング状のエリアと前記第３のリング状のエリアとを同心円上に形成し、前記第２のリング状のエリア又は前記第３のリング状のエリアを、前記第１のリング状のエリアよりも内周領域に形成したことを特徴とするトレーニング室。
【請求項１４】
前記第２のリング状のエリア又は前記第３のリング状のエリアを、前記第１のリング状のエリアに、少なくとも一部が重複するように形成したことを特徴とする請求項１３に記載のトレーニング室。
【発明の詳細な説明】
【技術分野】
【０００１】
本発明は、健康増進や体力増強などを目的として行われるトレーニング時に利用される利用者用トレーニングカルテ、この利用者用トレーニングカルテを含む利用者用トレーニングセット、利用者が共通して利用できるトレーニング早見表に関する。
【背景技術】
【０００２】
近年、健康増進や体力増強などを目的として、スポーツクラブやトレーニングジムが数多く運営されている。それらの多くは、トレーニング専用のフロアに各種のトレーニング器具を設置し、トレーニングメニューを定めたプログラムを作成し、利用者は会員となって定められたトレーニングコースに参加して所定のトレーニングメニューによりトレーニング器具を使用している。すなわち、トレーニング器具の数は限られているため、利用者をコース別にグループ分けし、各コース別にトレーニング器具を使用できる人数と時間を制限し、利用者はそれらのコースから自己の都合に合わせて参加している。また、利用者のトレーニングは通常インストラクタの指示に従って行われる。
また、利用者のトレーニング効果を高めるとともに、トレーニング中の事故防止のために、利用者個人向けのトレーニングプログラムを作成してそれに従ってトレーニングを行うスポーツジムもある。この場合のトレーニングプログラムは、一般に利用者別に健康診断や体力測定を行い、その結果と年齢から体力的に弱い部分を強化するように作成される。たとえば、特許文献１によれば、利用者の健康診断と体力測定を行って疾患ごとに選択適否が定められたトレーニング種目を選定し、運動負荷強度を調整してトレーニング方法を決定している。
こうして決定されたトレーニング方法に従ってトレーニングを行う場合、実際にはそのトレーニング方法に近いコースに参加したり、自由参加時間に個人的に行う方法がとられている。
【特許文献１】特開平６−４４２７０号公報（第１頁要約、第２頁の特許請求の範囲および図１、図６など）
【発明の開示】
【発明が解決しようとする課題】
【０００３】
しかし、利用者が申し込んだコースに参加してトレーニングを行う場合は、利用者は決められた曜日や時間以外はトレーニング器具を使用することができない。従って、急用などで申し込んだコースの時間に都合が悪くなるとトレーニングをすることができない。また、自由参加時間には利用者が多すぎてトレーニング器具を自由に使用できないこともしばしばある。このためトレーニング効果が不十分になってしまうこともある。
一方、スポーツジムの運営者側からみた場合、利用者が多くなればトレーニングの場所やフロアの確保、多くのトレーニング器具の導入、多くのインストラクタの採用などを行わなければならず、莫大な投資が必要である。
【０００４】
本発明はこのような従来の課題を解決するもので、利用者が短時間に目的に応じたトレーニングを効果的かつ効率的に実行することができることを目的とする。
また、利用者がトレーニングプログラムを簡単に知ることができることを目的とする。
また、トレーニングシステムの運営者にとっては、トレーニング器具の回転率を高くし、少ないインストラクタや説明員で対応できることを目的とする。
さらに、複数拠点のトレーニング教室をフランチャイズ制にして一元的に管理することを目的とする。
【課題を解決するための手段】
【０００５】
請求項１記載の本発明の利用者用トレーニングカルテは、トレーニング室内にサーキット状に配置された複数台のトレーニング器具に対する利用者用トレーニングカルテであって、会員番号、氏名、年齢、生年月日、身長、体重、心拍数、又は血圧等の利用者情報を記載した個人情報欄と、前記トレーニング器具を利用する場合の注意事項を記載した注意事項欄と、前記トレーニング器具の負荷レベル、トレーニング回数、又はトレーニング時間等の利用者別トレーニング情報を記載したトレーニング器具使用方法欄とを有し、前記トレーニング器具使用方法欄には、トレーニング室内に配置されたそれぞれの前記トレーニング器具と同じ順序でそれぞれの器具表示がサーキット状に配置されて記載され、それぞれの前記器具表示に対応させて、前記利用者別トレーニング情報が記載されていることを特徴とする。
請求項２記載の本発明は、請求項１に記載の利用者用トレーニングカルテにおいて、前記トレーニング器具に表示された識別記号を、前記トレーニング器具使用方法欄に記載した前記器具表示として、又は前記トレーニング器具使用方法欄に記載した前記器具表示とともに表示していることを特徴とする。
請求項３記載の本発明は、請求項１に記載の利用者用トレーニングカルテにおいて、利用者のトレーニングレベルに応じた色表示を、前記トレーニング器具使用方法欄に記載した前記器具表示に対応させて表示していることを特徴とする。
請求項４記載の本発明は、請求項３に記載の利用者用トレーニングカルテにおいて、前記色表示を、トレーニング器具に表示されたトレーニングレベルに応じた色表示と対応させていることを特徴とする。
請求項５記載の本発明は、請求項３に記載の利用者用トレーニングカルテにおいて、前記色表示を、それぞれの利用者のトレーニングレベルに応じて交付または貸与される、タオル、リストバンド、トレーナー、又はアクセサリー等の識別部材と対応させていることを特徴とする。
請求項６記載の本発明の利用者用トレーニングセットは、トレーニング室内に配置された複数台のトレーニング器具を利用したトレーニング時に、利用者が用いる利用者用トレーニングセットであって、会員番号、氏名、年齢、生年月日、身長、体重、心拍数、又は血圧等の利用者情報を記載した個人情報欄と、前記トレーニング器具の負荷レベル、トレーニング回数、又はトレーニング時間等の利用者別トレーニング情報を記載したトレーニング器具使用方法欄とを有し、利用者のトレーニングレベルに応じた色表示を、前記トレーニング器具使用方法欄に記載した器具表示に対応させて表示している利用者用トレーニングカルテと、利用者のトレーニングレベルに応じた色表示を施し、それぞれの利用者のトレーニングレベルに応じて交付または貸与される、タオル、リストバンド、トレーナー、又はアクセサリー等の識別部材とからなり、前記利用者用トレーニングカルテに表示する色表示と、前記識別部材に施された色表示とを対応させていることを特徴とする。
請求項７記載の本発明のトレーニング早見表は、トレーニング室内にサーキット状に配置された複数台のトレーニング器具に対するトレーニング早見表であって、前記トレーニング器具を利用する場合の注意事項を記載した注意事項欄と、前記トレーニング器具の配置を記載したトレーニング器具配置欄と、前記トレーニング器具の名称、使用方法、及び効果や留意事項を一覧表示したトレーニング器具説明欄とを有し、前記トレーニング器具配置欄には、トレーニング室内に配置されたそれぞれの前記トレーニング器具と同じ順序でそれぞれの器具表示がサーキット状に配置されて記載されていることを特徴とする。
請求項８記載の本発明は、請求項７に記載のトレーニング早見表において、前記トレーニング器具に表示された識別記号を、前記トレーニング器具配置欄に記載した前記器具表示として、又は前記トレーニング器具使用方法欄に記載した前記器具表示とともに表示していることを特徴とする。
請求項９記載の本発明は、請求項７又は請求項８に記載のトレーニング早見表において、前記トレーニング器具に表示された識別記号を、前記トレーニング器具説明欄に記載した前記器具名称として、又は前記トレーニング器具説明欄に記載した前記器具名称とともに表示していることを特徴とする。
複数台のトレーニング器具を配置するトレーニング室であって、
請求項１０記載の本発明のトレーニング室は、複数台のトレーニング器具を配置するトレーニング室であって、対向する２つの壁面に沿って、それぞれ複数の前記トレーニング器具を配設し、前記壁面に沿って配設した前記トレーニング器具のうち、両端に配置された前記トレーニング器具よりも外方であって、対向する２つの前記壁面の間の空間に他のトレーニング器具を配置することで、前記トレーニング器具をサーキット状に配置することを特徴とする。
請求項１１記載の本発明のトレーニング室は、複数台のトレーニング器具と、前記トレーニング器具の間に配置されるステップ台やマットなどの複数台の有酸素運動器具とを配置するトレーニング室であって、それぞれの前記トレーニング器具を環状に配置して第１のリング状のエリアを形成し、それぞれの前記有酸素運動器具を環状に配置して第２のリング状のエリアを形成し、前記第１のリング状のエリアと前記第２のリング状のエリアとを同心円上であって、前記第１のリング状のエリア内に、前記第２のリング状のエリアの一部が重複するように形成したことを特徴とする。
請求項１２記載の本発明は、請求項１１に記載のトレーニング室において、前記第２のリング状のエリアを前記第１のリング状のエリアよりも内周領域に形成したことを特徴とする。
請求項１３記載の本発明のトレーニング室は、複数台のトレーニング器具と、前記トレーニング器具の間に配置されるステップ台やマットなどの有酸素運動器具とを配置するトレーニング室であって、
それぞれの前記トレーニング器具を環状に配置した第１のリング状のエリアと、前記有酸素運動器具の半数を環状に配置した第２のリング状のエリアと、前記有酸素運動器具の残りの半数を環状に配置した第３のリング状のエリアとを形成し、前記第２のリング状のエリアに配置される一方の前記有酸素運動器具と、前記第３のリング状のエリアに配置される他方の前記有酸素運動器具とは、互いが交互に配置され、前記第１のリング状のエリアと前記第２のリング状のエリアと前記第３のリング状のエリアとを同心円上に形成し、前記第２のリング状のエリア又は前記第３のリング状のエリアを、前記第１のリング状のエリアよりも内周領域に形成したことを特徴とする。
請求項１４記載の本発明は、請求項１３に記載のトレーニング室において、前記第２のリング状のエリア又は前記第３のリング状のエリアを、前記第１のリング状のエリアに、少なくとも一部が重複するように形成したことを特徴とする。
【発明の効果】
【０００６】
以上のように本発明によれば、トレーニング室内にサーキット状に配置された複数台のトレーニング器具を把握しやすく、それぞれのトレーニング器具でのトレーニング内容を簡単に知ることができる。
【発明を実施するための最良の形態】
【０００７】
本発明における第１の実施の形態による利用者用トレーニングカルテは、トレーニング器具使用方法欄には、トレーニング室内に配置されたそれぞれのトレーニング器具と同じ順序でそれぞれの器具表示がサーキット状に配置されて記載され、それぞれの器具表示に対応させて、利用者別トレーニング情報が記載されている。本実施の形態によれば、トレーニング室内にサーキット状に配置された複数台のトレーニング器具を把握しやすく、それぞれのトレーニング器具でのトレーニング内容を簡単に知ることができる。
本発明における第２の実施の形態は、第１の実施の形態による利用者用トレーニングカルテにおいて、トレーニング器具に表示された識別記号を、トレーニング器具使用方法欄に記載した器具表示として、又はトレーニング器具使用方法欄に記載した器具表示とともに表示している。本実施の形態によれば、トレーニング室内にサーキット状に配置された複数台のトレーニング器具の把握をより簡単に行うことができる。
本発明における第３の実施の形態は、第１の実施の形態による利用者用トレーニングカルテにおいて、利用者のトレーニングレベルに応じた色表示を、トレーニング器具使用方法欄に記載した器具表示に対応させて表示している。本実施の形態によれば、トレーニング器具別に自己のレベルに応じた負荷レベルの把握をより簡単に行うことができる。
本発明における第４の実施の形態は、第３の実施の形態による利用者用トレーニングカルテにおいて、色表示を、トレーニング器具に表示されたトレーニングレベルに応じた色表示と対応させている。本実施の形態によれば、トレーニング器具毎の負荷レベルの調整を間違いなく行うことができる。
本発明における第５の実施の形態は、第３の実施の形態による利用者用トレーニングカルテにおいて、色表示を、それぞれの利用者のトレーニングレベルに応じて交付または貸与される、タオル、リストバンド、トレーナー、又はアクセサリー等の識別部材と対応させている。本実施の形態によれば、交付または貸与される、タオル、リストバンド、トレーナー、又はアクセサリー等の識別部材によって自己のトレーニング器具毎の負荷レベルを把握することができる。
本発明における第６の実施の形態による利用者用トレーニングセットは、利用者用トレーニングカルテとタオル、リストバンド、トレーナー、又はアクセサリー等の識別部材とからなり、利用者用トレーニングカルテに表示する色表示と、識別部材に施された色表示とを対応させている。本実施の形態によれば、交付または貸与される、タオル、リストバンド、トレーナー、又はアクセサリー等の識別部材によって自己のトレーニング器具毎の負荷レベルを把握することができる。
本発明における第７の実施の形態によるトレーニング早見表は、トレーニング器具配置欄には、トレーニング室内に配置されたそれぞれのトレーニング器具と同じ順序でそれぞれの器具表示がサーキット状に配置されて記載されている。本実施の形態によれば、トレーニング室内にサーキット状に配置された複数台のトレーニング器具を把握しやすく、それぞれのトレーニング器具でのトレーニング内容を簡単に知ることができる。
本発明における第８の実施の形態は、第７の実施の形態によるトレーニング早見表において、トレーニング器具に表示された識別記号を、トレーニング器具配置欄に記載した器具表示として、又はトレーニング器具使用方法欄に記載した器具表示とともに表示している。本実施の形態によれば、トレーニング室内にサーキット状に配置された複数台のトレーニング器具の把握をより簡単に行うことができる。
本発明における第９の実施の形態は、第７又は第８の実施の形態によるトレーニング早見表において、トレーニング器具に表示された識別記号を、トレーニング器具説明欄に記載した器具名称として、又はトレーニング器具説明欄に記載した器具名称とともに表示している。本実施の形態によれば、トレーニング室内にサーキット状に配置された複数台のトレーニング器具と、トレーニング器具配置欄に記載した器具表示と、トレーニング器具説明欄に記載した器具名称との関係を簡単に把握することができる。
本発明における第１０の実施の形態によるトレーニング室は、対向する２つの壁面に沿って、それぞれ複数のトレーニング器具を配設し、壁面に沿って配設したトレーニング器具のうち、両端に配置されたトレーニング器具よりも外方であって、対向する２つの壁面の間の空間に他のトレーニング器具を配置することで、トレーニング器具をサーキット状に配置する。本実施の形態によれば、狭い室内においても、トレーニング器具を効率よく配置してそれぞれのトレーニング器具を不自由なく利用することが可能となる。
本発明における第１１の実施の形態によるトレーニング室は、それぞれのトレーニング器具を環状に配置して第１のリング状のエリアを形成し、ステップ台やマットなどの有酸素運動器具を環状に配置して第２のリング状のエリアを形成し、第１のリング状のエリアと第２のリング状のエリアとを同心円上であって、第１のリング状のエリア内に、第２のリング状のエリアの一部が重複するように形成したものである。本実施の形態によれば、狭いトレーニング室であっても、圧迫感なく、それぞれの器具をサーキット状に配置することができる。
本発明における第１２の実施の形態は、第１１の実施の形態によるトレーニング室において、第２のリング状のエリアを第１のリング状のエリアよりも内周領域に形成したものである。本実施の形態によれば、狭いトレーニング室１０であっても、圧迫感なく、それぞれの器具をサーキット状に配置することができる。
本発明における第１３の実施の形態によるトレーニング室は、それぞれのトレーニング器具を環状に配置した第１のリング状のエリアと、有酸素運動器具の半数を環状に配置した第２のリング状のエリアと、有酸素運動器具の残りの半数を環状に配置した第３のリング状のエリアとを形成し、第２のリング状のエリアに配置される一方の有酸素運動器具と、第３のリング状のエリアに配置される他方の有酸素運動器具とは、互いが交互に配置され、第１のリング状のエリアと第２のリング状のエリアと第３のリング状のエリアとを同心円上に形成し、第２のリング状のエリア又は第３のリング状のエリアを、第１のリング状のエリアよりも内周領域に形成したものである。本実施の形態によれば、狭いトレーニング室であっても、圧迫感なく、それぞれの器具をサーキット状に配置することができる。
本発明における第１４の実施の形態は、第１３の実施の形態によるトレーニング室において、第２のリング状のエリア又は第３のリング状のエリアを、第１のリング状のエリアに、少なくとも一部が重複するように形成したものである。本実施の形態によれば、狭いトレーニング室であっても、圧迫感なく、それぞれの器具をサーキット状に配置することができる。
【実施例】
【０００８】
以下、本発明の一実施例について、図面に基づいて説明する。
図１は、本発明におけるトレーニングシステムに使用されるトレーニング室の基本的なレイアウトを示す概念図である。本発明によるトレーニングシステムは、基本的に複数種のトレーニング器具を次々に短時間ずつ使用するサーキットトレーニング方法を採用する。
トレーニング室１０内には、複数台の種類の異なるトレーニング器具１１、１２、１３、１４、１５、１６、１７、１８がサーキット状に配置されている。また、これらのトレーニング器具１１、１２、１３、１４、１５、１６、１７、１８は、基本的には壁面に接して、又は人が歩けない程度にまで近接させて配置されている。トレーニング器具としては、例えば、レッグプレス１１、アームカール１２、レッグエクステンション・カール１３、ラットロー１４、スクワット１５、インクライン・チェスト１６、ヒップインナー・アウターサイ１７、ショルダープレス１８があり、その他、エアロバイク、トレッドミル、ローイング、エアロクライム、バタフライ、ベンチプレス、シットアップ、ローマンベンチ、ヒップマシンなどの種々の運動を行うことができる各種の器具がトレーニングの目的や種類により任意に選択されている。
また、トレーニング器具１１とトレーニング器具１２との間にはマット２１、トレーニング器具１２とトレーニング器具１３との間にはマット２２、トレーニング器具１３とトレーニング器具１４との間にはマット２３、トレーニング器具１４とトレーニング器具１５との間にはマット２４、トレーニング器具１５とトレーニング器具１６との間にはマット２５、トレーニング器具１６とトレーニング器具１７との間にはマット２６、トレーニング器具１７とトレーニング器具１８との間にはマット２７、トレーニング器具１８とトレーニング器具１１との間にはマット２８がそれぞれ配置されている。これらマット２１、２２、２３、２４、２５、２６、２７、２８は、有酸素運動を行うために配置されている。
【０００９】
これらのトレーニング器具１１、１２、１３、１４、１５、１６、１７、１８と、マット２１、２２、２３、２４、２５、２６、２７、２８とがサーキット状に配置されるが、平面的に円形や楕円形状に配置する場合の他、星形状に配置されていてもよく、それぞれの器具やマットが順に配列されておりかつ最初の器具又はマットと最後の器具又はマットとが隣接した状態で配置されていればよい。
レッグプレス１１、アームカール１２、及びレッグエクステンション・カール１３は、一方の壁面側に、利用者が対向する他方の壁面を向くように配置されている。ラットロー１４は、更衣・休憩室３３側の壁面、又は更衣・休憩室３３を形成するパーティション側に、利用者が対向する他方の壁面又はパーティションを向くように配置されている。スクワット１５とインクライン・チェスト１６とは、他方の壁面に、利用者が対向する一方の壁面を向くように配置されている。ヒップインナー・アウターサイ１７は、他方の壁面に配置されるが、利用者は他方の壁面を向くように配置される。ショルダープレス１８は、カウンタ３２側の壁面、又はカウンタ３２を形成するパーティション側に、利用者が対向する他方の壁面又はパーティションを向くように配置されている。なお、ラットロー１４は、レッグエクステンション・カール１３とスクワット１５とが配置される位置よりも更衣・休憩室３３側に配置され、ラットロー１４をレッグエクステンション・カール１３とスクワット１５との間に位置させない。また、ショルダープレス１８は、ヒップインナー・アウターサイ１７とレッグプレス１１とが配置される位置よりもカウンタ３２側に配置され、ショルダープレス１８をヒップインナー・アウターサイ１７とレッグプレス１１との間に位置させない。また、ラットロー１４の両サイドには、マット２３とマット２４を、ショルダープレス１８の両サイドには、マット２７とマット２８を配置する。そしてこれらトレーニング器具１１、１２、１３、１４、１５、１６、１７、１８のサーキット状の配置によって生じる中央の空間にはストレッチ用のマットを配設する。
トレーニング室１０の入り口３１の正面にはカウンタ３２が配置され、このカウンタ３２にて、トレーニングの受付と後述する利用者用トレーニングカルテの交付が行われる。トレーニング室１０の奥側の一隅には更衣・休憩室３３が設けられている。また、カウンタ３２の近くにカウンセリングテーブル３４が配置されている。また、トレーニング室１０の一壁面には、トレーニングを行う上での注意や案内を記載したトレーニング早見表３５が貼られている。
【００１０】
本実施例におけるトレーニング方法は、サーキットトレーニング方法を基本としている。すなわち、各トレーニング器具１１、１２、１３、１４、１５、１６、１７、１８の配置は、各トレーニング器具１１、１２、１３、１４、１５、１６、１７、１８の特性により、人体の同一部位に対するトレーニングが連続しないように配置され、例えばトレーニング器具１２で腕の筋肉を使用する場合は、次のトレーニング器具１３では腕の筋肉を休ませる器具を配置している。また、各トレーニング器具１１、１２、１３、１４、１５、１６、１７、１８は、1回の使用時間を例えば１分以内、好ましくは３０秒程度と設定し、利用者は所定のタイミングで次の器具に移動する。例えば所定のタイミングとして３０秒が設定されている場合には、あるトレーニング器具を３０秒間使用した後に次のトレーニング器具に移り、それを同様に３０秒間使用する。この３０秒というタイミングは、トレーニングレベルに応じた各トレーニング器具１１〜１８の最大使用時間であり、初級や中級のトレーニングレベルではもっと短い時間（例えば２０秒）が設定されており、２０秒がトレーニングレベルとして設定された利用者は、残りの１０秒は休息ないしはマットでの有酸素運動を行う。
次のトレーニング器具に移る場合は、一定方向、たとえば反時計方向に移動するようにあらかじめルール化している。こうして各トレーニング器具１１、１２、１３、１４、１５、１６、１７、１８を使用して一巡すると1セットが終了する。通常は３セットを単位として設定されるが、トレーニングプログラムに従って次のセットに入るか否かが決定される。
【００１１】
図２は、それぞれのトレーニング器具に付与された表示部の構成図を示している。同図（ａ）はトレーニング器具１１に付与された表示部の構成図であり、同図（ｂ）はトレーニング器具１２に付与された表示部の構成図である。
図に示すように、トレーニング器具１１には、「Ａ」なる識別記号４１の表示と、トレーニングレベルに応じた等級（負荷）を表す色表示４２が行われている。なお、トレーニング器具１２には、「Ｂ」なる識別記号４１が表示されている。
また、トレーニング器具１１、１２の負荷調整部４６には、切替つまみ４７と、この切替つまみ４７の切替位置には負荷レベルを示す色表示が施されている。等級を表す色表示４２は、たとえば、初級レベルは赤ラベル１、第２レベルは黄ラベル２、第３レベルは青ラベル３、第４レベルは緑ラベル４、第５レベルは茶ラベル５、上級レベルは黒ラベル６が貼られている。なお、初級レベルでは用いないトレーニング器具１１には、初級レベルを示す赤ラベル１は施されていない。
【００１２】
次に、本実施例によるトレーニングシステムに用いるトレーニング早見表の一実施例を図３から図６を用いて説明する。
図３は、同トレーニング早見表の注意事項欄を示す構成図、図４は同トレーニング早見表のトレーニング器具配置欄を示す構成図、図５は、同トレーニング早見表のトレーニング器具説明欄を示す構成図、図６は、同トレーニング早見表の脈拍数早見表欄を示す構成図である。
図１で示したトレーニング早見表３５には、図３に示す注意事項欄３５Ａ、図４に示すトレーニング器具配置欄３５Ｂ、図５に示すトレーニング器具説明欄３５Ｃ、図６に示す脈拍数早見表欄３５Ｄを有している。
【００１３】
図３に示す注意事項欄３５Ａには、例えばウォームアップとクールダウン時の注意内容を記載した一般注意事項欄と、呼吸を止めないとか定期的に脈拍を計測することなどの器具に共通する注意事項を記載した機械を使う前の注意事項欄と、それぞれの器具の使用要領を記載した機械使用時の注意事項欄とを有している。特に、機械使用時の注意事項欄には、レベル毎の表示色の説明や表示色別のトレーニング時間やトレーニング回数を記載している。
図４に示すトレーニング器具配置欄３５Ｂには、トレーニング室内に配置されたそれぞれのトレーニング器具と同じ順序でそれぞれの器具表示が写真やイラストでサーキット状に配置されて記載され、それぞれの器具表示に対応させて、トレーニングレベルに応じた色表示が表示されている。また、例えば「Ａ」から「Ｈ」のような、トレーニング器具に表示された識別記号を、器具表示とともに表示している。なお、この識別記号を器具表示として用いてもよい。
図５に示すトレーニング器具説明欄３５Ｃには、それぞれのトレーニング器具について、例えば「アームカール」のような名称欄と、使用方法欄と、効果欄が一覧表示されている。また、例えば「Ａ」から「Ｈ」のような、トレーニング器具に表示された識別記号を、器具の名称とともに表示している。なお、この識別記号を器具名称として用いてもよい。
図６に示す脈拍数早見表欄３５Ｄには、年齢（グループ）別に、目標とする所定時間単位の脈拍数を表示している。更に、「６０％もう少しペースを上げよう」「７０％いいペースですよ」「８０％これをキープしましょう」のように、脈拍数レベルを複数表示している。
【００１４】
次に、本実施例によるトレーニングシステムに用いる利用者用トレーニングカルテの一実施例を、図７を用いて説明する。
図７は、利用者用トレーニングカルテを示す構成図である。
利用者用トレーニングカルテ５０は、会員番号、氏名、年齢、性別、トレーニングレベルを表すラベル色、身長、体重、体脂肪率、上腕囲、腹囲、大腿囲等の利用者情報を記載した個人情報欄５１と、トレーニング器具を利用する場合の注意事項を記載した注意事項欄５２と、トレーニング器具の負荷レベル、トレーニング回数、又はトレーニング時間等の利用者別トレーニング情報を記載したトレーニング器具使用方法欄５３とを有している。
そして、トレーニング器具使用方法欄５３には、トレーニング室内に配置されたそれぞれのトレーニング器具と同じ順序でそれぞれの器具表示が写真又はイラストでサーキット状に配置されて記載され、それぞれの器具表示に対応させて、利用者別トレーニング情報が記載されている。
また、「Ａ」から「Ｈ」までのトレーニング器具に表示された識別記号を、トレーニング器具使用方法欄５３に記載した器具表示とともに表示している。なお、識別記号は、トレーニング器具の器具表示として用いてもよい。
【００１５】
本実施例では、利用者のトレーニングレベルに応じたラベル色（色表示）を、個人情報欄５１に記載しているが、トレーニング器具使用方法欄５３に表示してもよい。例えば初級レベルのように、一律同じレベルでトレーニング器具を使用する場合や、利用者の標準レベルを定める場合に、本実施例のように個人情報欄５１に色表示を行うことが好ましい。なお、標準レベルを個人情報欄５１に表示した上で、個別のトレーニング器具のレベルを変更する場合に、個別のトレーニング器具のレベルを、トレーニング器具使用方法欄５３の器具表示に対応させて個別に表示してもよい。
また、例えば初級レベルのように、一律同じレベルでトレーニング器具を使用する場合や、利用者の標準レベルを定める場合に、トレーニングレベルを意味する色表示を、それぞれの利用者のトレーニングレベルに応じて交付または貸与される、タオル、リストバンド、トレーナー、又はアクセサリー等の識別部材と対応させることで、利用者に判別を容易にすることができる。
【００１６】
図８及び図９は他の実施例による利用者用トレーニングカルテを示す構成図である。
利用者用トレーニングカルテ５０は、図８に示すように、個人情報欄５１及び注意事項欄５２と、図９に示すようにトレーニング器具使用方法欄５３とを有している。
個人情報欄５１には、会員番号、氏名、生年月日（年齢）、及び指導員を記載する書誌的事項欄と、最大心拍数、最適心拍数、身長、体重、体脂肪率、血圧、バストサイズ、ウエストサイズ、ヒップサイズ、上腕サイズ、及び太股サイズ等の身体的特徴欄、今日の体調記入欄、エクササイズ前後の血圧、脈拍、及び体重等の変動を記入する変動内容記入欄を備えている。今日の体調記入欄と変動内容記入欄のエクササイズ後の記入欄以外の欄には、あらかじめ登録され、又はエクササイズ前に測定装置で測定したデータが出力されている。
注意事項欄５２には、例えばウォームアップとクールダウン時の注意内容を記載した一般注意事項欄と、呼吸を止めないとか定期的に脈拍を計測することなどの器具に共通する注意事項を記載した機械を使う前の注意事項欄と、それぞれの器具の使用要領を記載した機械使用時の注意事項欄とを有している。特に、機械使用時の注意事項欄には、レベル毎の表示色の説明や表示色別のトレーニング時間やトレーニング回数を記載している。
トレーニング器具使用方法欄５３には、トレーニング室内に配置されたそれぞれのトレーニング器具と同じ順序でそれぞれの器具表示が写真又はイラストでサーキット状に配置されて記載され、それぞれの器具表示に対応させて、利用者別トレーニング情報が記載されている。利用者別トレーニング情報としては、強度と回数が表示されている。強度は、「ゆっくり」のような表現によって表示するほか、特にトレーニング器具については、「赤」「黄」のように、利用者のトレーニングレベルに応じたラベル色（色表示）を表示している。
また、「Ａ」から「Ｈ」までのトレーニング器具に表示された識別記号を、トレーニング器具使用方法欄５３に記載した器具表示とともに表示している。なお、識別記号は、トレーニング器具の器具表示として用いてもよい。
【００１７】
つぎに、トレーニング方法について説明する。
利用者はトレーニングルーム１０の入口３１から入室し、カウンタ３２で使用手続きを行う。カウンタ３２では利用者の情報をパソコンで検索し、利用者用トレーニングカルテ５０を印刷して利用者に渡す。このとき、必要に応じて利用者のトレーニングレベルに応じた色表示がされたタオル、リストバンド、バンダナなどのトレーニングアクセサリが交付または貸与される。
利用者は更衣室で着替えた後、トレーニング早見表３５の内容を確認し、手渡された利用者用トレーニングカルテ５０に従ってトレーニングを開始する。このとき、利用者が自己のトレーニングレベルに応じた色表示がされたトレーニングアクセサリを有している場合は、トレーニング早見表３５の表示にて自己の色がついている記載を確認する。
つぎに、利用者用トレーニングカルテ５０のプログラムを見てトレーニング器具１１、１２、１３、１４、１５、１６、１７、１８の中から空いている器具を探す。探したトレーニング器具についてカルテの負荷・回数欄を見てトレーニング器具の負荷を調整し、所定の回数、所定の時間のトレーニングを行う。つぎに反時計方向にあるマットにて有酸素運動に移動し、所定時間経過後に次のトレーニング器具に移動して同様に負荷の調整を行い、所定のトレーニングを実行する。以下同様にして1セットが終了すると、カルテのトレーニング方法欄５２に記載された所定のセット回数が未完であれば次のセットに入り、完了していればトレーニングを終了する。
なお、トレーニング開始前、トレーニング中、トレーニング終了時に必要であれば随時カウンセリングテーブル３４でインストラクタの指導を受けることができる。
【００１８】
本実施例によれば、１台のトレーニング器具使用時間は３０秒程度であるので１セットの時間は１０分程度である。従って、３セット実行する利用者でも３０分程度で１日のトレーニングは終了する。本発明者らの実験によれば、このような短時間でもサーキットトレーニングは確実に行うことができるので運動不足解消や体力維持、肥満解消などを目的とするトレーニング効果は十分であることが確認されており、週３回、１ヶ月程度のトレーニングで目に見えて身体が引き締まることが実感、確認できる。そこで、週３回、１ヶ月程度のトレーニング毎に利用者用トレーニングカルテ５０の作成を更新し、トレーニングプログラムを更新することが好ましい。
【００１９】
つぎに、トレーニングプログラムの変更について説明する。
図１０は、本実施例によるトレーニングプログラムのレベル変更を示すフローチャートである。
まず、トレーニング開始前の手続きにおいて、会員番号が入力される（Ｓ１）。会員番号の入力によって、会員照合用データベースに登録されている会員番号との間で会員照会が行われ、Ｓ１にて入力された年月日と、前回利用年月日とが比較され、前回利用時から所定期間内であるか否かが判断される（Ｓ２）。例えば所定期間として１ヶ月が設定されている場合、前回利用時から１ヶ月以上の期間が経過していれば利用回数データはリセットされる（Ｓ３）。
Ｓ２にて、前回利用時から所定期間内であると判断された場合には、前回レベルアップから所定回数に到達したか否かが判断される（Ｓ４）。
Ｓ４にて、所定回数に到達していないと判断された場合には、利用回数データに１が付加され、利用回数データが更新される（Ｓ５）。
Ｓ３にて利用回数データがリセットされた場合、及びＳ５にて利用回数データが更新された場合には、前回と同じレベル内容のカルテが出力される。
Ｓ４にて、所定回数に到達したと判断された場合には、受付時に入力された入力データ、又は受付時に機器によって測定された測定データから、本日の体調の良否を判断し（Ｓ６）、体調が不調と判断された場合には、一部又は全部のレベルをダウンさせた内容のカルテを出力する。
Ｓ６にて、体調が良好と判断された場合には、レベルアップにデータが更新され（Ｓ７）、レベルアップした内容のカルテを出力する。
【００２０】
本実施例で説明した、会員情報の記憶や判断処理は、それぞれのトレーニング拠点毎に備えたコンピュータを用いて行ってもよいが、会員情報のデータや照会機能等の一部の判断機能を、トレーニング拠点に備えたコンピュータと通信手段で接続されるサーバに有していてもよい。
また、本実施例では全ての判断を、コンピュータを用いた処理として説明したが、本実施例の方法でプログラムを作成し、これをもとにインストラクタが利用者の健康状態やトレーニング履歴、トレーニング器具の種類などを考慮して修正することによりきめの細かい利用者用トレーニングカルテ５０を短時間で効果的に作成することもできる。
【００２１】
図１１は、本実施例で説明したフィットネスシステムをフランチャイズ化して多くの地点で事業展開させる場合の構成を概念的に示すブロック図である。
各拠点６１、６２、６３は、それぞれ会員管理とカルテ作成のためのコンピュータ６４、６５、６６を有しており、各コンピュータ６４、６５、６６は、通信回線等のネットワーク６７を介して本部システム６８のコンピュータ６９に接続されている。
各拠点６１、６２、６３でそれぞれ入会者があった場合は、それぞれのコンピュータ６４、６５、６６からそのデータが本部システム６８のコンピュータ６９に転送され、本部システム６８のコンピュータ６９で一括管理される。
また、各拠点６１、６２、６３のコンピュータ６４、６５、６６により利用者のトレーニングプログラムが作成された場合、そのデータも本部システム６８のコンピュータ６９に転送させることにより、本部システム６８のコンピュータ６９で一括管理させることができる。従って、各拠点６１、６２、６３のコンピュータ６４、６５、６６は会員管理機能を必要としないので、本部システム６８のコンピュータ６９をサーバとし、各拠点のコンピュータ６４、６５、６６をクライアントとして各拠点６１、６２、６３で共通にサーバ・クライアント方式で会員管理をすることができる。従って、利用者は各拠点６１、６２、６３のどのトレーニング室でも自由に利用することが可能になる。また、本部システム６８のコンピュータ６９から会員に直接情報提供サービスをしたり、利用回数に応じたポイントサービスを行うことも可能になる。
【００２２】
前述したように、本実施例によれば、１台のトレーニング器具使用時間は３０秒程度であるので、１セットの時間は１０分程度となり、１日のトレーニング時間は３０分程度あれば十分である。また、空いているトレーニング器具から随時トレーニングを開始することができる。従って、トレーニング器具の回転率は非常に高く、トレーニング室１０が満員であっても数分ないし１０分程度の待ち時間でトレーニングを実行することができるので、１０台程度のトレーニング器具１１、１２、１３、１４、１５、１６、１７、１８を設置できる数１０〜数１００ｍ2程度の場所で、数１００人程度の会員に対して十分トレーニングサービスをすることができ、大規模な建物やスペースを必要としない。
また本実施例によれば、利用者が短時間で目的に応じた目的とするトレーニングを効果的かつ効率的に実行することができる。
また、利用者は色表示などによりトレーニングプログラムを簡単に知ることができる。
また、トレーニングシステムの運営者にとっては、トレーニング器具の回転率を高くすることにより、少ない投資で多くの利用者が参加可能なトレーニングシステムを提供することができる。
さらに、複数拠点のトレーニング教室をフランチャイズ制にして一元的に管理することができるトレーニングシステムを提供することができる。
また、上記実施例で説明した利用者用トレーニングカルテとタオル、リストバンド、トレーナー、又はアクセサリー等の識別部材とを利用者用トレーニングセットとし、利用者用トレーニングカルテに表示する色表示と、識別部材に施された色表示とを対応させることで、交付または貸与される、タオル、リストバンド、トレーナー、又はアクセサリー等の識別部材によって自己のトレーニング器具毎の負荷レベルを把握することができる。
【００２３】
図１２から図１７は、本発明におけるトレーニングシステムに使用されるトレーニング室の他の実施例によるレイアウトを示す概念図である。なお、既に説明した構成には同一番号を付して説明を省略する。
まず、図１２に示すレイアウトの構成について説明する。
トレーニング室１０内には、種類の異なる複数台のトレーニング器具１１、１２、１３、１４、１５、１６、１７、１８がリング状エリアＣに配置されている。
また、トレーニング器具１１とトレーニング器具１２との間のステップ台２１Ａ、トレーニング器具１３とトレーニング器具１４との間のステップ台２３Ａ、トレーニング器具１５とトレーニング器具１６との間のステップ台２５Ａ、トレーニング器具１７とトレーニング器具１８との間のステップ台２７Ａとは、それぞれリング状エリアＡに配置されている。
また、トレーニング器具１２とトレーニング器具１３との間のマット２２Ｂ、トレーニング器具１４とトレーニング器具１５との間のマット２４Ｂ、トレーニング器具１６とトレーニング器具１７との間のマット２６Ｂ、トレーニング器具１８とトレーニング器具１１との間のマット２８Ｂは、リング状エリアＢにそれぞれ配置されている。
ここでステップ台２１Ａ、２３Ａ、２５Ａ、２７Ａは、幅方向の寸法が奥行き方向の寸法に比べて広い器具、マット２２Ｂ、２４Ｂ、２６Ｂ、２８Ｂは、幅方向の寸法と奥行き方向の寸法が同じか、奥行き方向の寸法が幅方向の寸法に比べて広い器具であり、これらステップ台２１Ａ、２３Ａ、２５Ａ、２７Ａ、マット２２Ｂ、２４Ｂ、２６Ｂ、２８Ｂは、有酸素運動を行うための器具である。
【００２４】
そして、ステップ台２１Ａ、２３Ａ、２５Ａ、２７Ａは、リング状に配置されたトレーニング器具１１、１２、１３、１４、１５、１６、１７、１８の外周側に、マット２２Ｂ、２４Ｂ、２６Ｂ、２８Ｂは、リング状に配置されたトレーニング器具１１、１２、１３、１４、１５、１６、１７、１８の内周側に配置される。すなわち、リング状エリアＣの外周側にリング状エリアＡが、リング状エリアＣの内周側にリング状エリアＢが形成され、リング状エリアＡはリング状エリアＣの領域内に、リング状エリアＢはリング状エリアＣと一部が重複するように形成される。なお、リング状エリアＣと、リング状エリアＡと、リング状エリアＢとは、同心円上に形成される。
本実施例では、それぞれの器具を上記のように、リング状エリアＡ、Ｂ、Ｃ内に配置し、それぞれのリング状エリアＡ、Ｂ、Ｃを、同心円上に形成するとともに、少なくともリング状エリアＣ内に、リング状エリアＡ、Ｂの一部を重複するように形成することで、狭いトレーニング室１０であっても、圧迫感なく、それぞれの器具をサーキット状に配置することができる。
【００２５】
次に、図１３に示すレイアウトの構成について説明する。なお、図１２と同一構成については説明を省略する。以下の実施例の場合においても同様である。
本実施例においては、ステップ台２１Ａ、２３Ａ、２５Ａ、２７Ａは、リング状に配置されたトレーニング器具１１、１２、１３、１４、１５、１６、１７、１８の内周側に、マット２２Ｂ、２４Ｂ、２６Ｂ、２８Ｂは、リング状に配置されたトレーニング器具１１、１２、１３、１４、１５、１６、１７、１８の外周側に配置される。すなわち、リング状エリアＣの内周側にリング状エリアＡが、リング状エリアＣの外周側にリング状エリアＢが形成され、リング状エリアＡはリング状エリアＣの領域外に、リング状エリアＢはリング状エリアＣと重複するように形成される。なお、リング状エリアＣと、リング状エリアＡと、リング状エリアＢとは、同心円上に形成される。
本実施例では、それぞれの器具を上記のように、リング状エリアＡ、Ｂ、Ｃ内に配置し、それぞれのリング状エリアＡ、Ｂ、Ｃを、同心円上に形成するとともに、少なくともリング状エリアＣ内に、リング状エリアＢを重複するように形成し、リング状エリアＡをリング状エリアＣよりも内周領域に形成することで、狭いトレーニング室１０であっても、圧迫感なく、それぞれの器具をサーキット状に配置することができる。
【００２６】
次に、図１４に示すレイアウトの構成について説明する。
本実施例においては、ステップ台２１Ａ、２３Ａ、２５Ａ、２７Ａ、及びマット２２Ｂ、２４Ｂ、２６Ｂ、２８Ｂは、リング状に配置されたトレーニング器具１１、１２、１３、１４、１５、１６、１７、１８の内周側に配置される。すなわち、リング状エリアＣの内周側に、リング状エリアＡ、及びリング状エリアＢが形成され、リング状エリアＡはリング状エリアＣの領域外に、リング状エリアＢはリング状エリアＣと一部が重複するように形成される。また、リング状エリアＡは、リング状エリアＢよりも更に内周側であって、好ましくはリング状エリアＡをリング状エリアＢの領域外に形成する。なお、リング状エリアＣと、リング状エリアＡと、リング状エリアＢとは、同心円上に形成される。
本実施例では、それぞれの器具を上記のように、リング状エリアＡ、Ｂ、Ｃ内に配置し、それぞれのリング状エリアＡ、Ｂ、Ｃを、同心円上に形成するとともに、少なくともリング状エリアＣ内に、リング状エリアＢを重複するように形成し、リング状エリアＡとリング状エリアＢとをリング状エリアＣよりも内周領域に形成することで、狭いトレーニング室１０であっても、圧迫感なく、それぞれの器具をサーキット状に配置することができる。
【００２７】
次に、図１５に示すレイアウトの構成について説明する。
本実施例においては、ステップ台２１Ａ、２３Ａ、２５Ａ、２７Ａ、及びマット２２Ｂ、２４Ｂ、２６Ｂ、２８Ｂは、リング状に配置されたトレーニング器具１１、１２、１３、１４、１５、１６、１７、１８の内周側に配置される。すなわち、リング状エリアＣの内周側に、リング状エリアＡ、及びリング状エリアＢが形成され、リング状エリアＡはリング状エリアＣの領域外に、リング状エリアＢはリング状エリアＡと一部が重複するように形成される。また、リング状エリアＢは、リング状エリアＡよりも更に内周側であって、好ましくはリング状エリアＢをリング状エリアＡと一部が重複するように形成する。なお、リング状エリアＣと、リング状エリアＡと、リング状エリアＢとは、同心円上に形成される。
本実施例では、それぞれの器具を上記のように、リング状エリアＡ、Ｂ、Ｃ内に配置し、それぞれのリング状エリアＡ、Ｂ、Ｃを、同心円上に形成するとともに、リング状エリアＡとリング状エリアＢとをリング状エリアＣよりも内周領域に形成することで、狭いトレーニング室１０であっても、圧迫感なく、それぞれの器具をサーキット状に配置することができる。
【００２８】
次に、図１６に示すレイアウトの構成について説明する。
本実施例においては、マット２１Ｂ、２２Ｂ、２３Ｂ、２４Ｂ、２５Ｂ、２６Ｂ、２７Ｂ、２８Ｂは、リング状に配置されたトレーニング器具１１、１２、１３、１４、１５、１６、１７、１８の内周側に配置される。すなわち、リング状エリアＣの内周側に、リング状エリアＢが形成され、リング状エリアＢはリング状エリアＣと一部が重複するように形成される。なお、リング状エリアＣとリング状エリアＢとは、同心円上に形成される。
本実施例では、それぞれの器具を上記のように、リング状エリアＢ、Ｃ内に配置し、それぞれのリング状エリアＢ、Ｃを、同心円上に形成するとともに、リング状エリアＢを一部が重複するようにリング状エリアＣよりも内周領域に形成することで、狭いトレーニング室１０であっても、圧迫感なく、それぞれの器具をサーキット状に配置することができる。
【００２９】
次に、図１７に示すレイアウトの構成について説明する。
本実施例においては、ステップ台２１Ａ、２３Ａ、２５Ａ、２７Ａ、及びマット２２Ｂ、２４Ｂ、２６Ｂ、２８Ｂは、リング状に配置されたトレーニング器具１１、１２、１３、１４、１５、１６、１７、１８の内周側に配置される。すなわち、リング状エリアＣの内周側であってリング状エリアＣの領域外に、リング状エリアＡ、及びリング状エリアＢが形成される。また、リング状エリアＢとリング状エリアＡは、一部が重複するように形成する。なお、リング状エリアＣと、リング状エリアＡと、リング状エリアＢとは、同心円上に形成される。
本実施例では、それぞれの器具を上記のように、リング状エリアＡ、Ｂ、Ｃ内に配置し、それぞれのリング状エリアＡ、Ｂ、Ｃを、同心円上に形成するとともに、リング状エリアＡとリング状エリアＢとをリング状エリアＣよりも内周領域に形成することで、狭いトレーニング室１０であっても、圧迫感なく、それぞれの器具をサーキット状に配置することができる。
【００３０】
なお、それぞれの実施例で説明したリング状のエリアとは、仮想的なエリアであり、それぞれの器具の外周側端部を結んだ円弧とそれぞれの器具の内周側端部を結んだ円弧によって囲まれる領域である。なお、器具によって大きさが異なる場合又は半径方向に異なる位置に配置する場合には、リング状エリアＣでは、中心から最外周に位置する器具の外周側端部までの半径がエリアＣの外周側ライン、半数未満の器具を除いた残りの器具の内周側端部までの半径がエリアＣの内周側ラインであり、リング状エリアＡ又はリング状エリアＢでは、半数未満の器具を除いた残りの器具の外周側端部までの半径がエリアＡ又はエリアＢの外周側ライン、中心から最内周に位置する器具の内周側端部までの半径がエリアＡ又はエリアＢの内周側ラインである。
なお、リング状エリアＣの領域内に全ての有酸素運動器具が配置されている場合や、リング状エリアＣの領域より外方の外周側領域に半数以上の有酸素運動器具が配置されている場合は、本発明の効果は期待できず、本発明の意図するところではない。
また、それぞれの実施例では、リング状エリアＡとリング状エリアＢとを別の器具を配置した場合で説明したが、リング状エリアＡ内にマットを混在させ、又はリング状エリアＢにステップ台を混在させてもよい。また、本実施例では、リング状エリアＡとリング状エリアＢとを分けて説明したが、マットもステップ台も有酸素運動器具であり、マットとステップ台とをあわせた一つのエリアとすることもできる。
【図面の簡単な説明】
【００３１】
【図１】本発明の実施例１におけるトレーニングシステムに使用されるトレーニング室の基本的なレイアウトを示す概念図
【図２】本発明の一実施例におけるそれぞれのトレーニング器具に付与された表示部の構成図
【図３】本実施例によるトレーニング早見表の注意事項欄を示す構成図
【図４】同トレーニング早見表のトレーニング器具配置欄を示す構成図
【図５】同トレーニング早見表のトレーニング器具説明欄を示す構成図
【図６】同トレーニング早見表の脈拍数早見表欄を示す構成図
【図７】本実施例による利用者用トレーニングカルテを示す構成図
【図８】他の実施例による利用者用トレーニングカルテを示す構成図
【図９】同利用者用トレーニングカルテを示す構成図
【図１０】本実施例によるトレーニングプログラムのレベル変更を示すフローチャート
【図１１】本実施例のフィットネスシステムをフランチャイズ化した場合の構成を概念的に示すブロック図
【図１２】本発明におけるトレーニングシステムに使用されるトレーニング室の他の実施例によるレイアウトを示す概念図
【図１３】本発明におけるトレーニングシステムに使用されるトレーニング室の他の実施例によるレイアウトを示す概念図
【図１４】本発明におけるトレーニングシステムに使用されるトレーニング室の他の実施例によるレイアウトを示す概念図
【図１５】本発明におけるトレーニングシステムに使用されるトレーニング室の他の実施例によるレイアウトを示す概念図
【図１６】本発明におけるトレーニングシステムに使用されるトレーニング室の他の実施例によるレイアウトを示す概念図
【図１７】本発明におけるトレーニングシステムに使用されるトレーニング室の他の実施例によるレイアウトを示す概念図
【符号の説明】
【００３２】
１０    トレーニング室
１１〜１８  トレーニング器具
２１〜２８  マット
３１    入口
３２    カウンタ
３３    更衣・休憩室
３４    カウンセリングテーブル
３５    トレーニング早見表
３５Ａ  注意事項欄
３５Ｂ  トレーニング器具配置欄
３５Ｃ  トレーニング器具説明欄
３５Ｄ  脈拍数早見表欄
５０    利用者用トレーニングカルテ
５１    個人情報欄
５２    注意事項欄
５３    トレーニング器具使用方法欄
【図１】
2004261586.tif 000003
【図２】
2004261586.tif 000004
【図３】
2004261586.tif 000005
【図４】
2004261586.tif 000006
【図５】
2004261586.tif 000007
【図６】
2004261586.tif 000008
【図７】
2004261586.tif 000009
【図８】
2004261586.tif 000010
【図９】
2004261586.tif 000011
【図１０】
2004261586.tif 000012
【図１１】
2004261586.tif 000013
【図１２】
2004261586.tif 000014
【図１３】
2004261586.tif 000015
【図１４】
2004261586.tif 000016
【図１５】
2004261586.tif 000017
【図１６】
2004261586.tif 000018
【図１７】
2004261586.tif 000019